(57)【特許請求の範囲】
【請求項１】
支払者の端末装置と、口座振替の申込を受け付ける受付装置と、口座の管理を行う金融機関装置と、収納企業の企業システムとをネットワークを介して接続してなる口座振替受付システムであって、
前記端末装置は、
口座振替による支払対象を特定する情報と、口座振替を行う顧客を特定する情報とを少なくとも含む申込情報を前記受付装置に送信する申込情報通知手段と、
送信した前記申込情報に対応して、金融機関において前記支払対象を特定するための口座振替対象識別情報を前記受付装置から受信する口座振替対象識別受信手段と、
前記口座振替対象識別情報を前記金融機関装置へ送信する口座振替対象識別送信手段と、
入力手段により入力を受けた振替口座を示す口座情報を前記金融機関装置及び前記受付装置へ送信する口座情報通知手段と、
前記金融機関装置から登録完了の通知を受信し、前記受付装置へ収納機関への通知指示を送信する指示手段と
を備え、
前記受付装置は、
申込情報と、口座振替対象識別情報との対応付けを記憶する受付装置記憶手段と、
前記端末装置から申込情報を受信する申込情報受信手段と、
受信した前記申込情報に対応して前記受付装置記憶手段から読み出した口座振替対象識別情報を前記端末装置へ通知する口座振替対象識別通知手段と、
前記端末装置から受信した前記口座情報を前記受付装置記憶手段へ書き込む口座情報受信手段と、
前記端末装置から収納機関への通知指示を受信し、前記端末装置から受信した前記申込情報及び前記口座情報を前記企業システムへ送信する口座振替情報通知手段と
を備え
前記金融機関装置は、
前記端末装置が送信した前記口座振替対象識別情報及び前記口座情報を受信し、当該金融機関装置の備える金融機関装置記憶手段に書き込み、登録完了を前記端末装置へ通知する口座情報登録手段を備え、
前記企業システムは、
前記受付装置から受信した前記申込情報及び前記口座情報を、当該企業システムの備える企業システム記憶手段に書き込む口座振替登録手段を備える、
ことを特徴とする口座振替受付システム。
【請求項２】
前記端末装置は、前記申込情報を示す画像を読み取る読み取り手段をさらに備えることを特徴とする請求項１に記載の口座振替受付システム。
【請求項３】
前記端末装置は、前記申込情報と、前記受付装置のアドレス情報とを示す画像を読み取る読み取り手段をさらに備え、
前記申込情報通知手段は、前記アドレス情報を用いて前記受付装置にアクセスすることを特徴とする請求項１に記載の口座振替受付システム。
【請求項４】
ネットワークを介して接続される、支払者の端末装置と、口座振替の申込を受け付ける受付装置とを少なくとも備えた口座振替受付システムにおける前記受付装置であって、
前記端末装置として用いられるコンピュータを、
口座振替による支払対象を特定する情報と、口座振替を行う顧客を特定する情報とを少なくとも含む申込情報を前記受付装置に送信する申込情報通知手段、
送信した前記申込情報に対応して、金融機関において前記支払対象を特定するための口座振替対象識別情報を前記受付装置から受信する口座振替対象識別受信手段、
前記口座振替対象識別情報を金融機関装置へ送信する口座振替対象識別送信手段、
入力手段により入力を受けた振替口座を示す口座情報を前記金融機関装置及び前記受付装置へ送信する口座情報通知手段、
前記金融機関装置から登録完了の通知を受信し、前記受付装置へ収納機関への通知指示を送信する指示手段
として動作させるコンピュータプログラムを配信する配信手段と、
申込情報と、口座振替対象識別情報との対応付けを記憶する受付装置記憶手段と、
前記端末装置から申込情報を受信する申込情報受信手段と、
受信した前記申込情報に対応して前記受付装置記憶手段から読み出した口座振替対象識別情報を前記端末装置へ通知する口座振替対象識別通知手段と、
前記端末装置から受信した前記口座情報を前記受付装置記憶手段へ書き込む口座情報受信手段と、
前記端末装置から収納機関への通知指示を受信し、前記端末装置から受信した前記申込情報及び前記口座情報を前記企業システムへ送信する口座振替情報通知手段と
を備えることを特徴とする受付装置。
【請求項５】
ネットワークを介して接続される、支払者の端末装置と、口座振替の申込を受け付ける受付装置とを少なくとも備えた口座振替受付システムにおける前記端末装置であって、
口座振替による支払対象を特定する情報と、口座振替を行う顧客を特定する情報とを少なくとも含む申込情報を前記受付装置に送信する申込情報通知手段と、
送信した前記申込情報に対応して、金融機関において前記支払対象を特定するための口座振替対象識別情報を前記受付装置から受信する口座振替対象識別受信手段と、
前記口座振替対象識別情報を金融機関装置へ送信する口座振替対象識別送信手段と、
入力手段により入力を受けた振替口座を示す口座情報を前記金融機関装置及び前記受付装置へ送信する口座情報通知手段と、
前記金融機関装置から登録完了の通知を受信し、前記受付装置へ収納機関への通知指示を送信する指示手段と
を備えることを特徴とする端末装置。
【請求項６】
ネットワークを介して接続される、支払者の端末装置と、口座振替の申込を受け付ける受付装置とを少なくとも備えた口座振替受付システムにおける前記端末装置として用いられるコンピュータに、
口座振替による支払対象を特定する情報と、口座振替を行う顧客を特定する情報とを少なくとも含む申込情報を前記受付装置に送信する申込情報通知手段、
送信した前記申込情報に対応して、金融機関において前記支払対象を特定するための口座振替対象識別情報を前記受付装置から受信する口座振替対象識別受信手段、
前記口座振替対象識別情報を金融機関装置へ送信する口座振替対象識別送信手段、
入力手段により入力を受けた振替口座を示す口座情報を前記金融機関装置及び前記受付装置へ送信する口座情報通知手段、
前記金融機関装置から登録完了の通知を受信し、前記受付装置へ収納機関への通知指示を送信する指示手段
として動作させることを特徴とするコンピュータプログラム。
【請求項７】
ネットワークを介して接続される、支払者の端末装置と、口座振替の申込を受け付ける受付装置とを少なくとも備えた口座振替受付システムに用いられるコンピュータプログラムであって、
前記端末装置として用いられるコンピュータを、
口座振替による支払対象を特定する情報と、口座振替を行う顧客を特定する情報とを少なくとも含む申込情報を前記受付装置に送信する申込情報通知手段、
送信した前記申込情報に対応して、金融機関において前記支払対象を特定するための口座振替対象識別情報を前記受付装置から受信する口座振替対象識別受信手段、
前記口座振替対象識別情報を金融機関装置へ送信する口座振替対象識別送信手段、
入力手段により入力を受けた振替口座を示す口座情報を前記金融機関装置及び前記受付装置へ送信する口座情報通知手段、
前記金融機関装置から登録完了の通知を受信し、前記受付装置へ収納機関への通知指示を送信する指示手段
として動作させ、
前記受付装置として用いられるコンピュータを、
申込情報と、口座振替対象識別情報との対応付けを記憶する受付装置記憶手段、
前記端末装置から申込情報を受信する申込情報受信手段、
受信した前記申込情報に対応して前記受付装置記憶手段から読み出した口座振替対象識別情報を前記端末装置へ通知する口座振替対象識別通知手段、
前記端末装置から受信した前記口座情報を前記受付装置記憶手段へ書き込む口座情報受信手段、
前記端末装置から収納機関への通知指示を受信し、前記端末装置から受信した前記申込情報及び前記口座情報を前記企業システムへ送信する口座振替情報通知手段
として動作させる、
ことを特徴とするコンピュータプログラム。
【発明の詳細な説明】
【技術分野】
【０００１】
本発明は、口座振替受付システム、受付装置、端末装置、及び、コンピュータプログラムに関する。
【背景技術】
【０００２】
従来、公共料金など月々の支払が発生するサービス等の口座振替を申し込む場合、支払者は、口座振替受付依頼書などの書類に必要事項を記入の上、銀行届出印を押して収納企業または金融機関に提出していた。
一方、特許文献１では、銀行ホストと接続されるインターネットバンキング用のサーバが、収納企業ウェブサイトから口座振替契約申込情報等を引き継いで収納企業及び利用者の認証を行うとともに、銀行ホストから本登録処理の可否の結果を受信し、契約結果ファイルを作成して収納企業ホストへ送信することについて記載されている。また、特許文献２では、収納機関サーバが、金融機関サーバと連動して、口座振替申込を受け付ける口座振替申込受付システムについて記載されている。
【特許文献１】特開２００４−３１８３６４号公報
【特許文献２】特開２００４−２５２７３６号公報
【発明の開示】
【発明が解決しようとする課題】
【０００３】
上述したように、従来、支払者が口座振替を申し込む場合、書類の記入・押印及び提出といった手続きを行わなければならず、手間がかかり、煩わしいものであった。収納企業では、不払いや支払の遅れを防ぐため、口座振替を促進したいとの要望があるが、このような口座振替の手続きの煩わしさは、収納企業にとって、口座振替への移行を促進する妨げとなっている。また、金融機関では、口座振替の利用によって当該金融機関をメインバンクとする顧客を増やしたいとの要望があるが、同様の問題によって、そのような機会を逃してしまっている。一方、特許文献１及び２の技術を用いた場合、各収納企業のシステムにおいて機能の作りこみのための大きな開発工数がかかってしまう。
【０００４】
本発明は、上記の事情に鑑みてなされたものであり、簡易な手続きにより口座振替の申込を行うことを可能にして、口座振替の利用者の増加を支援することができ、また、収納企業のシステムにおける開発工数を抑えて実現することができる口座振替受付システム、受付装置、端末装置、及び、コンピュータプログラムを提供することを目的とする。
【課題を解決するための手段】
【０００５】
上記課題を解決するため、本発明は、支払者の端末装置と、口座振替の申込を受け付ける受付装置と、口座の管理を行う金融機関装置と、収納企業の企業システムとをネットワークを介して接続してなる口座振替受付システムであって、前記端末装置は、口座振替による支払対象を特定する情報と、口座振替を行う顧客を特定する情報とを少なくとも含む申込情報を前記受付装置に送信する申込情報通知手段と、送信した前記申込情報に対応して、金融機関において前記支払対象を特定するための口座振替対象識別情報を前記受付装置から受信する口座振替対象識別受信手段と、前記口座振替対象識別情報を前記金融機関装置へ送信する口座振替対象識別送信手段と、入力手段により入力を受けた振替口座を示す口座情報を前記金融機関装置及び前記受付装置へ送信する口座情報通知手段と、前記金融機関装置から登録完了の通知を受信し、前記受付装置へ収納機関への通知指示を送信する指示手段とを備え、前記受付装置は、申込情報と、口座振替対象識別情報との対応付けを記憶する受付装置記憶手段と、前記端末装置から申込情報を受信する申込情報受信手段と、受信した前記申込情報に対応して前記受付装置記憶手段から読み出した口座振替対象識別情報を前記端末装置へ通知する口座振替対象識別通知手段と、前記端末装置から受信した前記口座情報を前記受付装置記憶手段へ書き込む口座情報受信手段と、前記端末装置から収納機関への通知指示を受信し、前記端末装置から受信した前記申込情報及び前記口座情報を前記企業システムへ送信する口座振替情報通知手段とを備え前記金融機関装置は、前記端末装置が送信した前記口座振替対象識別情報及び前記口座情報を受信し、当該金融機関装置の備える金融機関装置記憶手段に書き込み、登録完了を前記端末装置へ通知する口座情報登録手段を備え、前記企業システムは、前記受付装置から受信した前記申込情報及び前記口座情報を、当該企業システムの備える企業システム記憶手段に書き込む口座振替登録手段を備える、ことを特徴とする口座振替受付システムである。
【０００６】
また、本発明は、上述する口座振替受付システムにおいて、前記端末装置は、前記申込情報を示す画像を読み取る読み取り手段をさらに備えることを特徴とする。
【０００７】
また、本発明は、上述する口座振替受付システムにおいて、前記端末装置は、前記申込情報と、前記受付装置のアドレス情報とを示す画像を読み取る読み取り手段をさらに備え、前記申込情報通知手段は、前記アドレス情報を用いて前記受付装置にアクセスすることを特徴とする。
【０００８】
また、本発明は、ネットワークを介して接続される、支払者の端末装置と、口座振替の申込を受け付ける受付装置とを少なくとも備えた口座振替受付システムにおける前記受付装置であって、前記端末装置として用いられるコンピュータを、口座振替による支払対象を特定する情報と、口座振替を行う顧客を特定する情報とを少なくとも含む申込情報を前記受付装置に送信する申込情報通知手段、送信した前記申込情報に対応して、金融機関において前記支払対象を特定するための口座振替対象識別情報を前記受付装置から受信する口座振替対象識別受信手段、前記口座振替対象識別情報を金融機関装置へ送信する口座振替対象識別送信手段、入力手段により入力を受けた振替口座を示す口座情報を前記金融機関装置及び前記受付装置へ送信する口座情報通知手段、前記金融機関装置から登録完了の通知を受信し、前記受付装置へ収納機関への通知指示を送信する指示手段として動作させるコンピュータプログラムを配信する配信手段と、申込情報と、口座振替対象識別情報との対応付けを記憶する受付装置記憶手段と、前記端末装置から申込情報を受信する申込情報受信手段と、受信した前記申込情報に対応して前記受付装置記憶手段から読み出した口座振替対象識別情報を前記端末装置へ通知する口座振替対象識別通知手段と、前記端末装置から受信した前記口座情報を前記受付装置記憶手段へ書き込む口座情報受信手段と、前記端末装置から収納機関への通知指示を受信し、前記端末装置から受信した前記申込情報及び前記口座情報を前記企業システムへ送信する口座振替情報通知手段とを備えることを特徴とする受付装置である。
【０００９】
また、本発明は、ネットワークを介して接続される、支払者の端末装置と、口座振替の申込を受け付ける受付装置とを少なくとも備えた口座振替受付システムにおける前記端末装置であって、口座振替による支払対象を特定する情報と、口座振替を行う顧客を特定する情報とを少なくとも含む申込情報を前記受付装置に送信する申込情報通知手段と、送信した前記申込情報に対応して、金融機関において前記支払対象を特定するための口座振替対象識別情報を前記受付装置から受信する口座振替対象識別受信手段と、前記口座振替対象識別情報を金融機関装置へ送信する口座振替対象識別送信手段と、入力手段により入力を受けた振替口座を示す口座情報を前記金融機関装置及び前記受付装置へ送信する口座情報通知手段と、前記金融機関装置から登録完了の通知を受信し、前記受付装置へ収納機関への通知指示を送信する指示手段とを備えることを特徴とする端末装置である。
【００１０】
また、本発明は、ネットワークを介して接続される、支払者の端末装置と、口座振替の申込を受け付ける受付装置とを少なくとも備えた口座振替受付システムにおける前記端末装置として用いられるコンピュータに、口座振替による支払対象を特定する情報と、口座振替を行う顧客を特定する情報とを少なくとも含む申込情報を前記受付装置に送信する申込情報通知手段、送信した前記申込情報に対応して、金融機関において前記支払対象を特定するための口座振替対象識別情報を前記受付装置から受信する口座振替対象識別受信手段、前記口座振替対象識別情報を金融機関装置へ送信する口座振替対象識別送信手段、入力手段により入力を受けた振替口座を示す口座情報を前記金融機関装置及び前記受付装置へ送信する口座情報通知手段、前記金融機関装置から登録完了の通知を受信し、前記受付装置へ収納機関への通知指示を送信する指示手段として動作させることを特徴とするコンピュータプログラムである。
【００１１】
また、本発明は、ネットワークを介して接続される、支払者の端末装置と、口座振替の申込を受け付ける受付装置とを少なくとも備えた口座振替受付システムに用いられるコンピュータプログラムであって、前記端末装置として用いられるコンピュータを、口座振替による支払対象を特定する情報と、口座振替を行う顧客を特定する情報とを少なくとも含む申込情報を前記受付装置に送信する申込情報通知手段、送信した前記申込情報に対応して、金融機関において前記支払対象を特定するための口座振替対象識別情報を前記受付装置から受信する口座振替対象識別受信手段、前記口座振替対象識別情報を金融機関装置へ送信する口座振替対象識別送信手段、入力手段により入力を受けた振替口座を示す口座情報を前記金融機関装置及び前記受付装置へ送信する口座情報通知手段、前記金融機関装置から登録完了の通知を受信し、前記受付装置へ収納機関への通知指示を送信する指示手段として動作させ、前記受付装置として用いられるコンピュータを、申込情報と、口座振替対象識別情報との対応付けを記憶する受付装置記憶手段、前記端末装置から申込情報を受信する申込情報受信手段、受信した前記申込情報に対応して前記受付装置記憶手段から読み出した口座振替対象識別情報を前記端末装置へ通知する口座振替対象識別通知手段、前記端末装置から受信した前記口座情報を前記受付装置記憶手段へ書き込む口座情報受信手段、前記端末装置から収納機関への通知指示を受信し、前記端末装置から受信した前記申込情報及び前記口座情報を前記企業システムへ送信する口座振替情報通知手段として動作させる、ことを特徴とするコンピュータプログラムである。
【発明の効果】
【００１２】
本発明によれば、料金の支払者は、口座振替の書類の記入や押印などの煩雑な手続きを行わなくとも、口座振替を申込むことができ、印鑑の相違等による手戻りも発生しない。特に、特許文献１の技術では、支払い者が入力する情報が多く、支払者による手続きは煩雑であり、また、入力情報が多いことは入力ミスにもつながるため、再入力の手間などがかってしまう場合もあり、結局手続きの煩雑さが解決されないという問題があるが、本発明では、請求書等に印刷されたバーコードを用いることにより、より簡易な操作で口座振替の申込を行うことができるとともに、情報の入力間違いも防ぐことができ、請求書払いの支払者を、口座振替に誘導することが可能となる。
また、収納企業の企業システムでは、口座振替受付のためのサイトを構築する必要がなく、従来口座振替の書類に基づいてマニュアルにより入力していた口座振替の情報を、ネットワークを介して受信して登録するための受け口を作成するのみの軽微の機能追加だけでよい。このように、各収納企業で口座振替受付のためのサイトを構築する必要がなく、バーコード決済センター装置において各収納企業に対する口座振替受付のインタフェースを提供するため、支払者は統一したインタフェースにより異なる収納機関への口座振替を簡易に申込むことができ、複数の収納機関への口座振替申込を促進することができる。
【発明を実施するための最良の形態】
【００１３】
以下、図面を参照して本発明の実施の形態の例について説明する。
【００１４】
［第１の実施形態］
図１は、本発明の一実施の形態による口座振替受付システムの概要を示す図である。
まず、サービス料金の収納を行う収納機関は、バーコード１１が印刷された請求書１０を支払者へ郵送する。請求書１０は、コンビニ収納で用いられる請求書であり、請求書１０に印刷されているバーコード１１が示すバーコード情報には、料金の支払先の企業の識別や、支払対象のサービスの識別、サービスの利用者である顧客の識別、支払金額などの情報が含まれる。支払者は、口座振替の申込を行う場合、自身の保有する携帯電話などの端末装置２０により請求書１０に印刷されているバーコード１１を読み取り、当該バーコード１１により示されるバーコード情報を、ＡＳＰ（アプリケーションサービスプロバイダ）であるバーコード決済センターが保有するバーコード決済センター装置３０へ送信する。口座振替の受付装置としてのバーコード決済センター装置３０は、収納機関が提携している銀行などの金融機関のうち、支払者が選択した金融機関の金融機関装置４０へ、口座振替受付依頼を送信する。金融機関装置４０は、支払者の端末装置２０から、本人認証の情報を受信して認証を行った後、口座振替を行う口座を示す口座情報を受信する。バーコード決済センター装置３０は、金融機関装置４０に登録された口座情報を受信すると、収納機関の保有する企業システム５０へ、バーコード情報及び口座情報を示す口座振替受付結果を通知する。企業システム５０は、受信した口座振替受付結果に基づいて、口座振替登録処理を行う。
【００１５】
図２は、図１に示す口座振替受付システムにおいて、支払者が口座振替依頼を行う際に、端末装置２０に表示される画面の遷移を示す図である。
まず、支払者が、端末装置２０の料金支払機能のメニューを選択すると、バーコードの読込み指示を表示する画面Ｇ１が表示される。支払者は、端末装置２０により請求書１０に印刷されているバーコード１１を撮影すると、端末装置２０はバーコードの読み取りが完了した旨と、バーコード決済センター装置３０へのアクセスを行うための確認ボタンを表示する画面Ｇ２を表示する。支払者が画面Ｇ２の確認ボタンを押すと、端末装置２０は、撮影したバーコード１１で示されるバーコード情報をバーコード決済センター装置３０へ送信する。
【００１６】
バーコード決済センター装置３０（受付装置）は、請求書の支払、または、口座振替の依頼のどちらを行うかを選択させるボタンと、確認ボタンとを表示する画面Ｇ３の画面データを端末装置２０へ送信する。支払者が請求書の支払を選択し、確認ボタンを押すと、インターネット電子決済サービスによる支払処理が開始される。一方、支払者が端末装置２０の表示する画面Ｇ３において、支払者が口座振替の依頼を選択し、確認ボタンを押すと、端末装置２０は、バーコード決済センター装置３０へ口座振替の依頼が選択された旨を通知する。
【００１７】
バーコード決済センター装置３０は、受信したバーコード情報で示される企業についての支払に利用可能な金融機関の一覧と、その金融機関の中から口座振替に利用する金融機関を指定するためのボタンと、確認ボタンとを表示するための画面Ｇ４の画面データを送信する。支払者が端末装置２０の表示する画面Ｇ４において、口座振替に利用する金融機関に対応した選択ボタンを選択し、確認ボタンを押すと、端末装置２０は、選択された金融機関の情報をバーコード決済センター装置３０へ通知する。
【００１８】
バーコード決済センター装置３０は、契約先、契約対象、及び、契約先金融機関名と、確認ボタンとを表示するための画面Ｇ５の画面データを送信する。契約先は、支払対象のサービスを提供している企業の企業名であり、契約対象は支払対象のサービス名である。また、契約先金融機関名は、ユーザが画面Ｇ４において選択した金融機関の名称である。支払者が端末装置２０の表示する画面Ｇ５において、契約先、契約対象、及び、契約先金融機関名を確認し、確認ボタンを押すと、端末装置２０は、選択された金融機関の金融機関装置４０へアクセスする。
【００１９】
金融機関装置４０は、インターネットバンキングにおけるログインアカウント（ＩＤ）と、パスワードを入力するフィールドと、確認ボタンとを表示するための画面Ｇ６の画面データを送信する。支払者が端末装置２０の表示する画面Ｇ６において、ログインアカウント、及び、パスワードを入力し、確認ボタンを押すと、端末装置２０は、入力されたログインアカウントとパスワードを金融機関装置４０へ送信する。
【００２０】
金融機関装置４０は、受信したログインアカウントと、パスワードにより正当性を確認すると、振替口座の口座番号、口座名義人、及び、暗証番号を入力するフィールドと、確認ボタンとを表示するための画面Ｇ７の画面データを送信する。支払者が端末装置２０の表示する画面Ｇ７において、口座番号、口座名義人、及び、暗証番号を入力し、確認ボタンを押すと、端末装置２０は、入力された口座番号、口座名義人、及び、暗証番号の情報を金融機関装置４０へ送信する。
【００２１】
金融機関装置４０は、受信した口座番号に対応して保持している口座名義人及び暗証番号の情報と、受信した口座名義人、及び、暗証番号の情報とにより認証を行うと、第２暗証番号を入力するフィールドと、確認ボタンとを表示するための画面Ｇ８の画面データを送信する。支払者が端末装置２０の表示する画面Ｇ８において、第２暗証番号の情報を入力し、確認ボタンを押すと、端末装置２０は、入力された第２暗証番号を金融機関装置４０へ送信する。
【００２２】
金融機関装置４０は、第２暗証番号振替口座の情報を受信して正当性を確認すると、口座振替受付が終了した旨と、収納企業へ口座振替登録結果を通知するための確認ボタンとを表示するための画面Ｇ９の画面データを送信する。支払者が端末装置２０の表示する画面Ｇ９において、確認ボタンを押すと、端末装置２０は、バーコード決済センター装置３０へ口座振替登録が確認された旨の通知と、口座情報を送信する。バーコード決済センター装置３０は、口座振替登録が確認された旨の情報と、口座情報とを受信すると、企業システム５０へ端末装置２０から受信したバーコード情報と、口座情報とを送信する。さらに、バーコード決済センター装置３０は、口座振替登録が完了した旨を示す画面Ｇ１０の画面データを端末装置２０へ送信する。端末装置２０は、画面Ｇ１０を表示し、支払者はこれにより、口座振替登録が完了した旨を認識する。支払者が端末装置２０の表示する画面Ｇ１０において確認ボタンを押すと、端末装置２０は、確認が入力された旨を示す情報をバーコード決済センター装置３０へ送信する。
【００２３】
図３は、本発明の一実施の形態による口座振替受付システムの構成を示す図であり、本発明と関係する機能ブロックのみ抽出して示してある。
端末装置２０は、通信部２１、読み取り部２２（読み取り手段）、入力部２３（入力手段）、表示部２４、出力制御部２５（申込情報通知手段、口座振替対象識別受信手段、口座振替対象識別送信手段、口座情報通知手段、指示手段）を備える。通信部２１は、携帯電話網、インターネット網などからなるネットワークＮを介して情報を送受信する。読み取り部２２は、バーコードリーダや、カメラなどであり、バーコード１１を読み取る。入力部２３は、ボタンなどであり、ユーザ操作による情報の入力を受ける。表示部２４は、ＬＣＤ（Liquid Crystal Display）などのディスプレイである。出力制御部２５は、情報の送信を指示したり、受信した情報を表示部２４へ表示させたりする制御を行う。なお、端末装置２０が携帯電話である場合、さらに、受話器及び送話器、ならびに、これらを制御する音声処理部（図示せず）をさらに備える。
【００２４】
バーコード決済センター装置３０は、通信部３１、記憶部３２（受付装置記憶手段）、情報制御部３３（申込情報受信手段、口座振替対象識別通知手段、口座情報受信手段、口座振替情報通知手段）、画面制御部３４を備える。通信部３１は、ネットワークＮを介して情報を送受信する。記憶部３２は、企業に関する情報、口座振替対象のサービスの情報、口座振替可能な金融機関の情報、支払者の振替口座に関する情報などの各種情報を記憶する。情報制御部３３は、記憶部３２への情報の書き込みや読み出し、他装置への情報の出力を行う。画面制御部３４は、端末装置２０へ表示すべき画面データを送信する。
【００２５】
金融機関装置４０は、通信部４１、記憶部４２（金融機関装置記憶手段）、情報制御部４３（口座情報登録手段）、画面制御部４４を備える。通信部４１は、ネットワークＮを介して情報を送受信する。記憶部４２は、顧客の口座に関する情報などを記憶する。情報制御部４３は、記憶部４２への情報の書き込みや読み出し、他装置への情報の出力を行う。画面制御部４４は、端末装置２０へ表示すべき画面データを送信する。
【００２６】
企業システム５０は、通信部５１、記憶部５２（企業システム記憶手段）、情報制御部５３（口座振替登録手段）を備える。通信部５１は、ネットワークＮを介して情報を送受信する。記憶部５２は、顧客に関する情報、請求に関する情報、口座振替に関する情報などの各種情報を記憶する。情報制御部５３は、情報の記憶部５２への書き込みや読み出しを行う。
【００２７】
図４は、各装置に記憶される情報を示す。
バーコード決済センター装置３０の記憶部３２は、企業情報マスタ３２１、委託者番号マスタ３２２、金融機関情報マスタ３２３などのマスタデータと、口座振替登録情報３２４を記憶する。
企業情報マスタ３２１は、支払対象のサービスを提供している企業に関する情報を示し、企業を識別する企業コード及びメーカーコード、当該企業の企業名、支払対象のサービス名などを示す請求内容の情報を含む。
委託者番号マスタ３２２は、企業コード、当該企業への支払に利用することのできる金融機関の金融機関コード、支払対象のサービスを示す委託者番号の情報を含む。例えば、委託者番号は、金融機関によって付与される番号であり、ＸＸガス会社へのガス料金の支払、ＹＹ保険会社への保険料の支払、あるいは、ＺＺ保険会社のａ保険についての保険料の支払などとすることができる。なお、１企業において商品が複数ある場合、同じ企業であっても、異なる企業コードを使用するようにしてもよい。
金融機関情報マスタ３２３は、各金融機関の情報を示し、金融機関を特定する金融機関コード（金融機関番号）、当該金融機関の名称を示す金融機関名、当該金融機関が保有する金融機関装置４０にアクセスするためのＵＲＬ（Universal Resource Locator）（金融機関ＵＲＬ）などの情報を含む。
【００２８】
口座振替登録情報３２４は、口座振替受付を行った際に生成され、企業コード、バーコード情報、口座情報、口座振替の登録結果、登録日時の情報を含む。バーコード情報は、バーコード１１が示す情報と同じであり、企業コードを示すメーカーコード、顧客コード等を示す自由使用覧、再発行区分、支払期限日、印紙フラグ、支払金額、チェックデジットの情報を示す。また、口座情報は、振替口座の情報を示し、金融機関番号、支店番号、預金種目、口座番号、契約者氏名の情報が含まれる。
【００２９】
金融機関装置４０の記憶部４２は、口座情報マスタ４２１を記憶する。口座情報マスタ４２１は、口座情報、委託者番号、登録状況の情報を含む。口座情報は、口座振替登録情報３２４内の口座情報と同じデータ構成である。
【００３０】
企業システム５０の記憶部５２は、顧客情報マスタ５２１、請求情報マスタ５２２、口座振替情報マスタ５２３などのマスタデータを記憶する。
顧客情報マスタ５２１は、顧客に関する情報を示し、顧客を特定する顧客コード、当該顧客の住所・氏名、当該顧客の属性、当該顧客との契約に関する情報などを含む。
請求情報マスタ５２２は、顧客への請求に関する情報を示し、顧客コード、請求書１０による請求金額及び請求内容、収納機関名、請求書１０に印刷したバーコード１１の内容を示すバーコード情報を含む。バーコード情報は、口座振替登録情報３２４内のバーコード情報と同じデータ構成である。
口座振替情報マスタ５２３は、口座振替に関する情報を示し、顧客コード、当該顧客が口座振替を行う対象を示す委託者番号、振替口座の口座情報、口座振替の登録日時の情報を含む。口座情報は、口座振替登録情報３２４内の口座情報と同じデータ構成である。
【００３１】
図５は、口座振替受付システムの処理の流れを示す図である。
まず、収納企業は、支払者へ請求書１０を郵送する（ステップＳ１０１）。支払者は、郵送された請求書１０を確認し（ステップＳ１０２）、口座振替を依頼する場合、端末装置２０の読み取り部２２により請求書１０に印刷されているバーコード１１を撮影する（ステップＳ１０３）。端末装置２０の通信部２１は、予め端末装置２０に記憶されているか、または、端末装置２０に入力された支払サイトのＵＲＬを用いてバーコード決済センター装置３０へアクセスを行い、出力制御部２５は、撮影されたバーコード１１により示されるバーコード情報を口座振替の申込情報として送信する（ステップＳ１０４）。バーコード情報には、メーカーコード（企業コード）、顧客コード、再発行区分、支払期限日、印紙フラグ、支払金額、チェックデジットの情報が含まれる。
【００３２】
バーコード決済センター装置３０の情報制御部３３は、バーコード情報を受信すると、正当性の確認を行う。具体的には、受信したバーコード情報内のメーカーコードに設定されている企業コードが企業情報マスタ３２１に登録されているか、バーコード情報内のチェックデジットが合っているか、バーコード情報内の各項目の属性（数字等）が正しいか、また、それら各項目の記述形式が正しいか（例えば、支払期限日がＹＹＹＹＭＭＤＤの形式で記述されているか等）により正当性を確認する。そして、正当性が確認されると、受信したバーコード内のメーカーコードにより示される企業コードと、受信したバーコード情報と、登録中を示す登録結果の情報とからなる口座振替登録情報３２４を生成して記憶部３２に書き込む（ステップＳ１０５）。バーコード決済センター装置３０の画面制御部３４は、受信したバーコード情報で示される企業コードをキーとして企業情報マスタ３２１を検索し、企業名及び請求内容を読み出す。画面制御部３４は、読み出した企業名及び請求内容を表示するための画面データを生成して端末装置２０へ送信する（ステップＳ１０６）。
【００３３】
端末装置２０の出力制御部２５は、受信した画面データを表示部２４へ表示させる。支払者は、表示された画面により企業名及び請求内容を確認すると、端末装置２０の入力部２３により内容を確認した旨の情報を入力する。端末装置２０の出力制御部２５は、内容確認が入力された旨の情報をバーコード決済センター装置３０へ送信する（ステップＳ１０７）。
【００３４】
バーコード決済センター装置３０の情報制御部３３が、内容確認が入力された旨の情報を端末装置２０から受信すると、画面制御部３４は、端末装置２０から受信したバーコード情報により示される企業コードをキーとして委託者番号マスタ３２２を検索し、金融機関コードを読み出すと、さらに、読み出した金融機関コードをキーとして金融機関情報マスタ３２３から金融機関名を読み出す。画面制御部３４は、読み出した金融機関名の一覧を表示するための金融機関一覧表示画面（図２：画面Ｇ４）の画面データを生成して、端末装置２０へ送信する（ステップＳ１０８）。
【００３５】
端末装置２０の出力制御部２５は、受信した画面データを表示部２４へ表示させる。支払者は、表示された金融機関一覧表示画面により口座振替に利用可能な金融機関一覧を確認すると、その一覧の中から選択した利用金融機関の情報を入力部２３により入力する。出力制御部２５は、選択された金融機関を示す利用金融機関情報をバーコード決済センター装置３０へ送信する（ステップＳ１０９）。
【００３６】
バーコード決済センター装置３０の情報制御部３３は、受信した利用金融機関情報により示される金融機関のコードをキーにして金融機関情報マスタ３２３から金融機関ＵＲＬを読み出すとともに、バーコード情報により示される企業コード、及び、利用金融機関情報により示される金融機関のコードをキーとして委託者番号マスタ３２２から委託者番号を読み出す。画面制御部３４は、企業名や、請求内容（契約対象）、選択された金融機関名などの口座振替に関する情報を表示するための口座登録情報確認画面（図２：画面Ｇ５）の画面データを生成し、この画面データに、情報制御部３３が読み出した金融機関ＵＲＬ及び委託者番号と、金融機関との処理が終了した後にアクセスすべきバーコード決済センター装置３０のＵＲＬを示す戻りアドレスを付加して端末装置２０に送信する（ステップＳ１１０）。
【００３７】
端末装置２０の出力制御部２５は、受信した画面データを表示部２４へ表示させる。支払者は、表示された口座登録情報確認画面により口座振替に関する情報を確認すると（ステップＳ１１１）、端末装置２０の入力部２３により金融機関へのアクセス指示を入力する。これより、端末装置２０の出力制御部２５は、通信部２１へバーコード決済センター装置３０から受信した金融機関ＵＲＬを用いて金融機関装置４０へアクセスするよう指示し、委託者番号の情報を設定した口座振替登録要求を送信する（ステップＳ１１２）。
【００３８】
金融機関装置４０の画面制御部４４は、通信部４１を介して口座振替登録要求を受信すると、インターネットバンキング（モバイルバンキング）のログイン画面（図２：画面Ｇ６）の画面データを端末装置２０へ送信する（ステップＳ１１３）。端末装置２０の出力制御部２５は、受信した画面データを表示部２４へ表示させる。支払者が、端末装置２０の入力部２３により、表示されているログイン画面にＩＤ（ログインアカウント）及びパスワードを入力すると、出力制御部２５は、入力されたＩＤ及びパスワードの情報を金融機関装置４０へ送信する（ステップＳ１１４）。
【００３９】
金融機関装置４０の情報制御部４３は、端末装置２０から受信したＩＤ及びパスワードにより認証を行うと、画面制御部４４は、口座情報入力画面（図２：画面Ｇ７）を表示させる画面データを端末装置２０へ送信する（ステップＳ１１５）。端末装置２０の出力制御部２５は、受信した画面データを表示部２４へ表示させる。支払者が、端末装置２０の入力部２３により、表示されている口座情報入力画面に、口座番号、口座名義人、暗証番号を入力すると、出力制御部２５は、入力された口座番号、口座名義人、暗証番号の情報を金融機関装置４０へ送信する（ステップＳ１１６）。
【００４０】
金融機関装置４０の情報制御部４３は、端末装置２０から口座番号、口座名義人、暗証番号の情報を受信すると、記憶部４２内に受信した口座番号に対応して保持している口座名義人及び暗証番号の情報により認証を行う。情報制御部４３は、認証が成功すると、受信した口座番号及び口座名義人をキーにて口座情報マスタ４２１を検索し、検出した口座情報に対応させて、受信した委託者番号の情報を書き込むとともに、当該口座情報に対応させて、未終了を示す登録情報を書き込む。金融機関装置４０の画面制御部４４は、第２暗証番号入力画面（図２：画面Ｇ８）を表示させる画面データを生成して、端末装置２０へ送信する（ステップＳ１１７）。端末装置２０の出力制御部２５は、受信した画面データを表示部２４へ表示させる。支払者が、端末装置２０の入力部２３により、表示されている第２暗証番号入力画面に第２暗証番号を入力すると、出力制御部２５は、入力された第２暗証番号の情報を金融機関装置４０へ送信する（ステップＳ１１８）。
【００４１】
金融機関装置４０の情報制御部４３は、端末装置２０から受信した第２暗証番号により認証を行い、認証が成功すると、ステップＳ１１６において受信した口座番号及び口座名義人をキーにて口座情報マスタ４２１を検索し、口座情報を読み出す。画面制御部４４は、読み出された口座情報で示される口座の情報、支店番号、預金種目（普通、当座など）、口座番号、当該口座の契約者氏名等を表示するための登録情報確認画面の画面データを生成して、端末装置２０へ送信する（ステップＳ１１９）。端末装置２０の出力制御部２５は、受信した画面データを表示部２４へ表示させる。支払者が表示内容を確認し、入力部２３により登録情報確認を入力すると（ステップＳ１２０）、端末装置２０の出力制御部２５は、登録実行要求を金融機関装置４０へ送信する（ステップＳ１２１）。
【００４２】
金融機関装置４０の情報制御部４３は、端末装置２０から登録実行要求を受信すると、ステップＳ１１９において受信した口座番号及び口座名義人をキーにて口座情報マスタ４２１を検索し、検出した口座情報に対応させて、登録済みを示す登録情報を書き込む（ステップＳ１２２）。金融機関装置４０の画面制御部４４は、当該金融機関において口座振替受付が完了したことを示す旨を通知する金融機関受付完了画面（図２：Ｇ９）の画面データに、当該口座情報を付加して端末装置２０へ送信する。
【００４３】
端末装置２０の出力制御部２５は、受信した画面データを表示部２４へ表示させる。支払者が、表示されている金融機関受付完了画面により金融機関における受付終了を確認すると、端末装置２０の入力部２３により収納企業への通知指示を入力する。端末装置２０の通信部２１はステップＳ１１０において受信した戻りアドレスによりバーコード決済センター装置３０へアクセスし、出力制御部２５は、金融機関装置４０から受信した口座情報を設定した収納企業通知指示をバーコード決済センター装置３０へ送信する（ステップＳ１２３）。
【００４４】
バーコード決済センター装置３０の情報制御部３３は、端末装置２０から受信した口座情報を、ステップＳ１０５において登録した口座振替登録情報３２４に書き込むとともに、登録結果にＯＫを示す情報を書き込み、登録日時の情報を書き込む。バーコード決済センター装置３０は、口座振替登録情報３２４から読み出したバーコード情報及び口座情報と、委託者番号とを設定した口座振替登録依頼情報を企業システム５０へ送信する（ステップＳ１２４）。
【００４５】
企業システム５０の情報制御部５３は、口座振替登録依頼情報に設定されているバーコード情報が記憶部５２内の請求情報マスタ５２２に登録されており、当該バーコード情報で示される顧客コードが顧客情報マスタ５２１に登録されていることを確認する（ステップＳ１２５）。情報制御部５３は、当該顧客コードと、受信した口座振替登録依頼情報に設定されている委託者番号及び口座情報と、登録日時とを対応付けた情報を、口座振替情報マスタ５２３に書き込む（ステップＳ１２６）。
【００４６】
収納企業が口座振替を行う場合、委託者番号と、請求が発生している各顧客について当該委託者番号をキーにして口座振替情報マスタ５２３から読み出した口座情報と、口座振替による引落金額、引落日の情報を記録媒体に記録して金融機関に渡す。金融機関装置４０は、記録媒体から読み出した情報に基づき、口座引落を行う。
【００４７】
［第２の実施形態］
次に第２の実施形態について、上述した第１の実施形態との差分を説明する。第１の実施形態では、口座情報を金融機関装置４０が受信しているが、第２の実施形態では、口座情報をバーコード決済センター装置３０が受信する。端末装置２０、バーコード決済センター装置３０、金融機関装置４０、企業システム５０の構成、及び、各装置が保持するデータは第１の実施形態と同様である。
【００４８】
図６は、口座振替受付システムの処理の流れを示す図である。
ステップＳ２０１〜Ｓ２０９までの処理は、第１の実施形態のステップＳ１０１〜Ｓ１０９までの処理と同様である。
バーコード決済センター装置３０の画面制御部３４は、口座情報入力画面を表示させる画面データを端末装置２０へ送信する（ステップＳ２１０）。端末装置２０の出力制御部２５は、受信した画面データを表示部２４へ表示させる。支払者が、端末装置２０の入力部２３により、表示されている口座情報入力画面に、口座番号、口座名義人、暗証番号を入力すると、出力制御部２５は、入力された口座番号、口座名義人、暗証番号の情報をバーコード決済センター装置３０へ送信する（ステップＳ２１１）。
【００４９】
バーコード決済センター装置３０の情報制御部３３は、端末装置２０から口座番号、口座名義人、暗証番号の情報を受信すると、ステップＳ２０９において受信した利用金融機関情報により示される金融機関のコードをキーにして金融機関情報マスタ３２３から金融機関ＵＲＬを読み出す。画面制御部３４は、企業名や、請求内容（契約対象）、選択された金融機関名、受信した口座番号及び口座名義人などの口座振替に関する情報を表示するための口座登録情報確認画面の画面データを生成し、この画面データに、金融機関ＵＲＬ及び委託者番号と、口座番号、口座名義人、及び、暗証番号との情報を付加して端末装置２０に送信する（ステップＳ２１２）。
【００５０】
端末装置２０の出力制御部２５は、受信した画面データを表示部２４へ表示させる。支払者は、表示された口座登録情報確認画面により口座振替に関する情報を確認すると（ステップＳ２１３）、端末装置２０の入力部２３により金融機関へのアクセス指示を入力する。これより、端末装置２０の出力制御部２５は、通信部２１へバーコード決済センター装置３０から受信した金融機関ＵＲＬを用いて金融機関装置４０へアクセスするよう指示し、委託者番号、口座番号、口座名義人、及び、暗証番号の情報を設定した口座振替登録要求を送信する（ステップＳ２１４）。
【００５１】
金融機関装置４０の画面制御部４４は、通信部４１を介して口座振替登録要求を受信すると、インターネットバンキング（モバイルバンキング）のログイン画面（図２：画面Ｇ６）の画面データを端末装置２０へ送信する（ステップＳ２１５）。端末装置２０の出力制御部２５は、受信した画面データを表示部２４へ表示させる。支払者が、端末装置２０の入力部２３により、表示されているログイン画面にＩＤ（ログインアカウント）及びパスワードを入力すると、出力制御部２５は、入力されたＩＤ及びパスワードの情報を金融機関装置４０へ送信する（ステップＳ２１６）。
【００５２】
金融機関装置４０の情報制御部４３は、端末装置２０から受信したＩＤ及びパスワードにより認証を行うとともに、さらに、ステップＳ２１４において受信した口座番号、口座名義人及び暗証番号の情報により認証を行う。情報制御部４３は、認証が成功すると、受信した口座番号及び口座名義人をキーにて口座情報マスタ４２１を検索し、検出した口座情報に対応させて、受信した委託者番号の情報を書き込むとともに、当該口座情報に対応させて、未終了を示す登録情報を書き込む。画面制御部４４は、第２暗証番号入力画面を表示させる画面データを生成して、端末装置２０へ送信する（ステップＳ２１７）。端末装置２０の出力制御部２５は、受信した画面データを表示部２４へ表示させる。支払者が、端末装置２０の入力部２３により、表示されている第２暗証番号入力画面に第２暗証番号を入力すると、出力制御部２５は、入力された第２暗証番号の情報を金融機関装置４０へ送信する（ステップＳ２１８）。
【００５３】
金融機関装置４０の情報制御部４３は、端末装置２０から受信した第２暗証番号により認証を行う。金融機関装置４０の画面制御部４４が登録情報確認画面を表示させる画面データを生成して、端末装置２０へ送信するステップＳ２１９以降の処理は、第１の実施形態におけるステップＳ１１９以降の処理と同様である。
【００５４】
なお、ステップＳ２２２において、金融機関装置４０の画面制御部４４は、口座情報を付加せずに金融機関受付完了画面の画面データを端末装置２０へ送信してもよい。この場合、ステップＳ２２３において、端末装置２０の出力制御部２５は、口座情報を設定せずに収納企業通知指示をバーコード決済センター装置３０へ送信する。
【００５５】
［第３の実施形態］
次に第３の実施形態について、上述した第１の実施形態との差分を説明する。第３の実施形態では、請求書１０にバーコード１１として、２次元バーコードが印刷されている点が異なる。２次元バーコードは、顧客コード、顧客氏名、商品コード、商品名を含む契約者情報と、企業コードと、バーコード決済センター装置３０のＵＲＬとを示す。端末装置２０、バーコード決済センター装置３０、金融機関装置４０、企業システム５０の構成は図３に示す第１の実施形態と同様である。
【００５６】
図７は、第３の実施形態における各装置に記憶される情報を示す。
バーコード決済センター装置３０の記憶部３２は、企業情報マスタ３２１、委託者番号マスタ３２２ａ、金融機関情報マスタ３２３などのマスタデータと、口座振替登録情報３２４ａを記憶する。企業情報マスタ３２１、金融機関情報マスタ３２３は、第１の実施形態と同様のデータである。
委託者番号マスタ３２２ａは、企業コード、当該企業への支払に利用することのできる金融機関の金融機関コード、口座振替契約対象の商品またはサービス等を示す商品コード、支払を行う対象を示す委託者番号の情報を含む。例えば、Ａ生命保険会社が同じ顧客にａ保険、ｂ保険を提供している場合、商品コードは、ａ保険，ｂ保険のどちらについての引き落としの契約かを示す。また、委託者番号は、Ａ生命という単位に付与されるケース、ａ保険・ｂ保険ごとに付与されるケースが考えられる。つまり、委託者番号は、企業コード＋商品コード＋金融機関コードで特定される。
【００５７】
口座振替登録情報３２４ａは、口座振替受付を行った際に生成され、企業コード、契約者情報、口座情報、口座振替の登録結果、登録日時の情報を含む。契約者情報は、２次元バーコードに含まれる契約者情報と同じであり、顧客コード、顧客氏名、商品コード、商品名を示す。
【００５８】
金融機関装置４０の記憶部４２が記憶する口座情報マスタ４２１は、第１の実施形態と同様のデータである。
【００５９】
企業システム５０の記憶部５２は、顧客情報マスタ５２１、口座振替情報マスタ５２３ａ、商品マスタ５２４などのデータを記憶する。顧客情報マスタ５２１は、第１の実施形態と同様のデータである。
口座振替情報マスタ５２３ａは、顧客コード、商品コード、委託者番号、振替口座を示す口座情報、口座振替の登録日時の情報を含む。
商品マスタ５２４は、商品の情報を示し、商品コードと商品名の情報を含む。
【００６０】
図８は、口座振替受付システムの処理の流れを示す図である。
まず、収納企業は、支払者へ請求書１０を郵送する（ステップＳ３０１）。支払者は、郵送された請求書１０を確認し（ステップＳ３０２）、口座振替を依頼する場合、端末装置２０の読み取り部２２により請求書１０に印刷されている２次元バーコードを撮影する（ステップＳ３０３）。端末装置２０の出力制御部２５は、撮影された２次元バーコードにより示される支払サイトのＵＲＬを表示部２４へ表示させる。利用者が、入力部２３により表示されているＵＲＬをクリックすると、出力制御部２５は、当該ＵＲＬを用いてバーコード決済センター装置３０へアクセスするよう通信部２１へ指示する。通信部２１は、出力制御部２５から受信したＵＲＬを用いてバーコード決済センター装置３０へアクセスし、出力制御部２５は、撮影された２次元バーコードにより示される契約情報及び企業コードを口座振替の申込情報として送信する（ステップＳ３０４）。
【００６１】
バーコード決済センター装置３０の情報制御部３３は、契約者情報を受信すると、正当性の確認を行う。具体的には、受信した企業コードが企業情報マスタ３２１に登録されているか、契約者情報内の各項目の属性（数字等）が正しいかにより正当性を確認する。そして、正当性が確認されると、受信した企業コード及び契約者情報と、登録中を示す登録結果の情報とからなる口座振替登録情報３２４ａを生成して記憶部３２に書き込む（ステップＳ３０５）。バーコード決済センター装置３０の画面制御部３４は、受信した企業コードをキーとして企業情報マスタ３２１を検索し、企業名及び請求内容を読み出す。画面制御部３４は、読み出した企業名及び請求内容を表示するための画面データを生成して端末装置２０へ送信する（ステップＳ３０６）。
【００６２】
ステップＳ３０７〜Ｓ３２３の処理は、第１の実施形態のステップＳ１０７〜Ｓ１２３と同様の処理である。ただし、金融機関コード及び委託者番号は、端末装置２０から受信した契約者情報により示される企業コード、商品コード及び金融機関コードをキーとして委託者番号マスタ３２２ａを検索して読み出す。
【００６３】
バーコード決済センター装置３０の情報制御部３３は、端末装置２０から受信した口座情報を、ステップＳ３０５において登録した口座振替登録情報３２４ａに書き込むとともに、登録結果にＯＫを示す情報を書き込み、登録日時の情報を書き込む。バーコード決済センター装置３０は、口座振替登録情報３２４から読み出した契約者情報及び口座情報と、委託者番号とを設定した口座振替登録依頼情報を企業システム５０へ送信する（ステップＳ３２４）。
【００６４】
企業システム５０の情報制御部５３は、口座振替登録依頼情報に設定されている契約者情報内の商品コードが商品マスタ５２４に登録されており、当該契約者情報で示される顧客コードが顧客情報マスタ５２１に登録されていることを確認する（ステップＳ３２５）。情報制御部５３は、受信した口座振替登録依頼情報に設定されている契約者情報内の顧客コード及び商品コードと、当該口座振替登録依頼情報に設定されている委託者番号及び口座情報と、登録日時とを対応付けた情報を、口座振替情報マスタ５２３ａに書き込む（ステップＳ３２６）。
【００６５】
なお、第３の実施形態において、第２の実施形態のように、バーコード決済センター装置３０が端末装置２０から口座情報を受信するようにしてもよい。
【００６６】
なお、バーコード決済センター装置３０が、端末装置２０へ出力制御部２５の機能を実行させるためのコンピュータプログラムを配信してもよい。
また、バーコード決済センター装置３０の情報制御部３３及び画面制御部３４の機能の全てまたは一部を企業システム５０で実行してもよい。また、バーコード決済センター装置３０と企業システム５０を同一の装置により実現してもよい。また、口座情報をバーコード決済センター装置３０と金融機関装置４０との間で直接送受信してもよい。
【００６７】
上記実施形態によれば、料金の支払者は、口座振替の書類の記入や押印などの煩雑な手続きを行わなくとも、口座振替を申込むことができ、印鑑の相違等による手戻りも発生しない。また、請求書に印刷されたバーコードを用いることにより、より簡易な操作で口座振替の申込を行うことができ、情報の入力間違いも防ぐことができ、請求書払いの支払者を、口座振替に誘導することが可能となる。
【００６８】
また、このバーコードとして、コンビニ収納で用いられる請求書に印刷されているバーコードを利用することにより、支払者が請求書払いの手続きのついでに口座振替に申込を行わせ、口座振替への移行を効果的に促進することができ、収納企業や金融機関でも、請求書払いによるインターネット電子決済の情報を利用して口座振替に申込を受けることができる。
【００６９】
また、収納企業の企業システムでは、口座振替受付のためのサイトを構築する必要がなく、従来口座振替の書類に基づいてマニュアルにより入力していた口座振替の情報を、ネットワークを介して受信して登録するための受け口を作成するのみの軽微の機能追加だけでよい。このように、各収納企業で口座振替受付のためのサイトを構築する必要がなく、バーコード決済センター装置において各収納企業に対する口座振替受付のインタフェースを提供するため、支払者は統一したインタフェースにより異なる収納機関への口座振替を簡易に申込むことができ、複数の収納機関への口座振替申込を促進することができる。
【００７０】
また、金融機関においては、現在提供しているネットバンキングやインターネット電子決済における利用者認証や振込み等の機能を利用して、軽微な機能追加のみで口座振替の登録を行うことができ、メインバンクとして利用してもらう顧客を増やすことにも繋がる。
【００７１】
なお、上述の端末装置２０、バーコード決済センター装置３０、金融機関装置４０、企業システム５０は、内部にコンピュータシステムを有している。そして、端末装置２０の出力制御部２５、バーコード決済センター装置３０の情報制御部３３及び画面制御部３４、金融機関装置４０の情報制御部４３及び画面制御部４４、ならびに、企業システム５０の情報制御部５３の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００７２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７３】
なお、本発明は、上記において説明した実施形態に限定されるものではなく、その主旨を逸脱しない範囲において種々変更可能であり、それらも本発明の範囲内に包含されるものであることは言うまでもない。
【図面の簡単な説明】
【００７４】
【図１】本発明の第１の実施形態による口座振替受付システムの動作概要を示す図である。
【図２】第１の実施形態による口座振替受付システムにおける端末装置に表示される画面の遷移を示す図である。
【図３】第１の実施形態による口座振替受付システムの構成を示すブロック図である。
【図４】第１の実施形態による口座振替受付システムに記憶される情報を示す図である。
【図５】第１の実施形態による口座振替受付システムにおける処理の流れを示す図である。
【図６】第２の実施形態による口座振替受付システムにおける処理の流れを示す図である。
【図７】第３の実施形態による口座振替受付システムに記憶される情報を示す図である。
【図８】第３の実施形態による口座振替受付システムにおける処理の流れを示す図である。
【符号の説明】
【００７５】
１０…請求書
１１…バーコード
２０…端末装置
２１、３１、４１、５１…通信部
２２…読み取り部
２３…入力部
２４…表示部
２５…出力制御部
３０…バーコード決済センター装置
３２、４２、５２…記憶部
３３、４３、５３…情報制御部
３４、４４…画面制御部
４０…金融機関装置
５０…企業システム
【図１】
0005238229.tif 000002
【図２】
0005238229.tif 000003
【図３】
0005238229.tif 000004
【図４】
0005238229.tif 000005
【図５】
0005238229.tif 000006
【図６】
0005238229.tif 000007
【図７】
0005238229.tif 000008
【図８】
0005238229.tif 000009